(57)【要約】【課題】ガス工作物の緊急検査は、紙ベースの検査票で行われており、災害発生時、緊急検査を行う保安員に連絡が入ると、保安員は検査票を持ち、現場に赴いて検査を行うが、場合によっては、営業所に検査票を取りに行く場合もある。また、検査票や検査票内の検査項目はガス工作物の種類によって異なるため、保安員が個別に判断し、適切な検査票や検査項目を選択している。さらに各保安員の検査票を回収した後、検査結果をまとめ、報告を行っており、迅速性に欠ける。【解決手段】ガス工作物の緊急検査用に、ガス工作物本体に貼付した二次元コードを、各保安員の携帯するモバイル端末に読み込ませることにより、検査票（検査項目）を生成する。さらに、検査結果をデータ通信によりサーバに集約する。【選択図】図５
2014021630.tif 000002
【特許請求の範囲】
【請求項１】
ＬＰガスに係るガス工作物の検査票データを作成する方法であって、前記方法は、
モバイル端末を介して読み込まれ、かつ前記ガス工作物の設備データが埋め込まれた二次元コードデータを受信するステップと、
前記受信した二次元コードデータから前記設備データを抽出するステップと、
前記抽出した設備データに基づき、前記検査票データを構成する検査項目データを選択し、前記検査票データを作成するステップと
を備えたことを特徴とする方法。
【請求項２】
前記抽出した設備データは、少なくとも、ガス容器の種類および前記ＬＰガスの気化方式を示すデータを含むことを特徴とする請求項１に記載の方法。
【請求項３】
前記作成した検査票データを、検査結果の入力インターフェースと共に、前記モバイル端末に表示するステップと、
前記入力インターフェースを介して入力された検査結果データを受信するステップと、
前記受信した検査結果データを、サーバコンピュータに送信するステップと
をさらに備えたことを特徴とする請求項１または２に記載の方法。
【請求項４】
前記二次元コードデータは、ＱＲコードデータであることを特徴とする請求項１乃至３のいずれかに記載の方法。
【請求項５】
ＬＰガスに係るガス工作物の検査票データを作成する方法を実行させるプログラムであって、前記方法は、
モバイル端末を介して読み込まれ、かつ前記ガス工作物の設備データが埋め込まれた二次元コードデータを受信するステップと、
前記受信した二次元コードデータから前記設備データを抽出するステップと、
前記抽出した設備データに基づき、前記検査票データを構成する検査項目データを選択し、前記検査票データを作成するステップと
を備えたことを特徴とするプログラム。
【請求項６】
ＬＰガスに係るガス工作物の検査票データを作成するモバイル端末であって、前記モバイル端末は、
処理プロセッサと、
メモリと、
前記ガス工作物の設備データが埋め込まれた二次元コードデータを読み込み、受信する二次元コード読取手段と、
前記受信した二次元コードデータから前記設備データを抽出し、前記抽出した設備データに基づき、前記検査票データを構成する検査項目データを選択し、前記検査票データを作成する検査票データ作成手段と
を備えたことを特徴とするモバイル端末。
【発明の詳細な説明】
【技術分野】
【０００１】
本発明は、特定工作物の検査支援に関し、より詳細には、特定工作物に指定される、液化石油（ＬＰ）ガスの供給設備の災害時の検査支援を行う方法およびシステムに関する。
【背景技術】
【０００２】
従来、ＬＰガスは、産ガス国からの輸入と、石油製品の生産過程で副生される国内生産とに分けられる。産ガス国からタンカーで運ばれてきたＬＰガスを保管する輸入基地、および石油精製基地をそれぞれ一次基地と呼び、ＬＰガスは、一次基地から内航船やタンクローリー車に積み込まれて、沿岸または内陸にあるＬＰガス輸送時の中継基地である、二次基地へと出荷される。つぎに、二次基地に運ばれてきたＬＰガスは、各地にあるＬＰガス充填所（配送拠点）に輸送されて、配送拠点においてガスボンベに充填される。各配送拠点において充填されたガスボンベは、配送員によって、一般家庭、集合住宅、事業所などの需要家に配送される。これがガスボンベによる供給方法である。また別の供給方法として、ガスバルクによる供給方法がある。これは、需要家先に設置されているガスバルクに、タンクローリー車により直接ガスを補充する方法である。なお、本明細書では、ガスボンベおよびガスバルクをまとめて「ガス容器」という場合がある。
【０００３】
ＬＰガスの供給形態は、供給設備や供給規模によって「一般供給（形態）」、「集中ガス供給（形態）」、および「簡易ガス供給（形態）」に分けられる。一般供給形態は、供給設備が需要家毎にある一般家庭向けの供給形態である。集中ガス供給形態および簡易ガス供給形態は、供給設備に対し供給先である需要家が複数ある、集合住宅など向けの供給形態である。集中ガス供給と簡易ガス供給の違いは供給先（需要家）の規模であり、需要家が７０戸未満の場合を集中ガス供給、７０戸以上の場合を簡易ガス供給と区別している。この２つの供給形態の設備自体に差異は無いが、供給規模が異なるために取り扱う法律が異なり、区別されている。
【０００４】
集中ガス供給設備は、「液化石油ガスの保安の確保及び取引の適正化に関する法律」（以下、「液石法」という）で規定され、簡易ガス供給設備は「ガス事業法」（以下、「ガス事法」という）により規定されている。特に簡易ガスの供給設備（以下、「ガス工作物」という）は、ガス事法の中で「（第一種）特定工作物」に指定されている。特定工作物とは、周辺の地域に対し環境悪化をもたらすおそれがある工作物で政令で定めるものをいう。このように、特に簡易ガスは供給規模が大きく、ガス漏れや爆発などが発生した場合、甚大な被害をもたらす可能性がある。そのため、特に災害時には、迅速かつ正確な検査が求められる。
【発明の概要】
【発明が解決しようとする課題】
【０００５】
しかしながら、現状、ガス工作物の緊急検査は、紙ベースの検査票で行われている。災害発生時、緊急検査を行う保安員に連絡が入ると、保安員は検査票を持ち、現場に赴いて検査を行う。この際、保安員が休暇中であった場合など、保安員の所属する営業所に検査票を取りに行く場合もある。また、検査票や検査票内の検査項目はガス工作物の種類によって異なるため、保安員が個別に判断し、適切な検査票や検査項目を選択している。さらに各営業所、延いてはガス事業者は、緊急検査結果の報告義務があるが、各保安員の検査票を回収した後、検査結果をまとめ、報告を行っており、迅速性に欠ける。また、現場は必ずしも良好な環境にあるとは限らないため、検査票の誤入力や、手書き文字の可読性の問題、検査漏れなどが発生する場合もある。
【０００６】
一方で、ガス工作物の検査項目は設備情報のみに依存する。他方で、例えば、需要家毎の一般供給（形態）設備の場合は、需要家の現在の状態（ガス料金の支払い状態、使用状況など）に依存するため、検査項目を選択する場合、需要家ごとの固有情報が必要になり、これは例えば、管理サーバのデータベースにアクセスするなどが必要となってくる。ガス工作物の検査項目に話を戻すと、ガス工作物の検査項目の場合は、設備情報、例えばガスボンベの容量や、気化方式（電気またはガスを使用してＬＰガスを強制的に気化させる方式を強制気化方式、ガス容器の表面温度により自然に気化させる方法を自然気化方式という）にのみ依存する。すなわち、ガス工作物の設置場所に在る情報のみで検査項目を選択することができるといえる。これは、災害時などデータ通信が困難な状況において、特に有利なことである。
【０００７】
そのため、ガス工作物の緊急検査用に、ガス工作物本体にＱＲコード（登録商標）などの二次元コードを付与し、各保安員の携帯するモバイル端末に読み込ませることにより、検査票（検査項目）を生成する方法およびシステムが求められている。さらに、データ通信が可能なエリアに移動するなどした場合、検査結果をデータ通信によりサーバに集約することも求められている。
【課題を解決するための手段】
【０００８】
本発明は、このような目的を達成するために、
ＬＰガスに係るガス工作物の検査票データを作成する方法であって、前記方法は、
モバイル端末を介して読み込まれ、かつ前記ガス工作物の設備データが埋め込まれた二次元コードデータを受信するステップと、
前記受信した二次元コードデータから前記設備データを抽出するステップと、
前記抽出した設備データに基づき、前記検査票データを構成する検査項目データを選択し、前記検査票データを作成するステップと
を備えたことを特徴とする。
【０００９】
また、前段落に記載の発明は、前記抽出した設備データは、少なくとも、ガス容器の種類および前記ＬＰガスの気化方式を示すデータを備えたことを特徴とする。
【００１０】
さらに、前２段落に記載の発明は、
前記作成した検査票データを、検査結果の入力インターフェースと共に、前記モバイル端末に表示するステップと、
前記入力インターフェースを介して入力された検査結果データを受信するステップと、
前記受信した検査結果データを、サーバコンピュータに送信するステップと
をさらに備えたことを特徴とする。
【００１１】
そして、前３段落に記載の発明は、前記二次元コードデータは、ＱＲコードデータであることを特徴とする。
【発明の効果】
【００１２】
以上説明したように、本発明によれば、ガス工作物の緊急検査用に、ガス工作物本体に貼付した二次元コードを、各保安員の携帯するモバイル端末に読み込ませることにより、検査票（検査項目）を生成し、また、データ通信が可能なエリアに移動するなどした場合、検査結果をデータ通信によりサーバに集約することが可能となる。
【図面の簡単な説明】
【００１３】
【図１】本発明の一実施形態に係るネットワーク構成を示す図である。
【図２】本発明の一実施形態に係るモバイル端末の構成を示すブロック図である。
【図３】本発明の一実施形態に係るガス工作物本体に付与される二次元コードデータを示す図である。
【図４】本発明の一実施形態に係る検査パターンデータを示す図である。
【図５】本発明の一実施形態に係る検査票データ作成処理を示す流れ図である。
【図６】本発明の一実施形態に係る検査票データ送信処理を示す流れ図である。
【発明を実施するための形態】
【００１４】
以下、添付した図面を参照して、本発明の実施形態に係る方法およびシステムを詳細に説明する。
【００１５】
図１は、本発明の一実施形態に係るネットワーク構成を示す図である。図１において、例えばデータセンタなどに設置された保安管理サーバ１０１が、ネットワーク１０２を介して、例えば各営業所などに設置された複数のクライアントコンピュータ１０３ａ、１０３ｂ、・・・、１０３ｎ（以下、「クライアントコンピュータ１０３」という）と、およびネットワーク１０４を介して、複数のモバイル端末１０５ａ、１０５ｂ、・・・、１０５ｎ（以下、「モバイル端末１０５」という）と通信を行うよう構成されている。モバイル端末は、各保安員など保安作業を実施する者が携帯する。また、ガス工作物１０６に付与された二次元コードをモバイル端末１０５により読み取れるよう構成されている。
【００１６】
モバイル端末１０５には、予め、ガス工作物の検査用アプリケーションがインストールされている。検査用アプリケーションとは、例えば一実施形態では、起動するとＱＲコードの読取画面を表示し、ガス工作物のＱＲコードの読み取りに成功すると、読み取ったＱＲコードデータから検査票データを作成するものである。また、作成した検査票データを画面表示し、検査項目を保安員が入力すると、入力データのチェックを行い、保安管理サーバに検査結果を送信する。
【００１７】
ガス工作物１０６には、ガス工作物の設備データが埋め込まれた二次元コードのラベルが貼付されている。
【００１８】
モバイル端末１０５によって、ガス工作物１０６に貼付された二次元コードが読み取られると、モバイル端末１０５の検査用アプリケーションは、読み取られた二次元コードデータに基づき、検査項目データを選択し、検査票を作成し、モバイル端末１０５の出力装置に表示する。次に、モバイル端末１０５の入力装置を介して、検査票の各検査項目に検査結果が入力されると、検査用アプリケーションは入力データのチェックを行った後、保安管理サーバ１０１に検査結果データを送信する。
【００１９】
保安管理サーバ１０１は、検査結果データを受信し、記憶する。その後、検査結果データは、クライアントコンピュータ１０３やモバイル端末１０５から閲覧することができる。
【００２０】
次に、図２のブロック図を参照して、上述したモバイル端末１０５の構成を詳細に説明する。
【００２１】
モバイル端末１０５は、ＣＰＵ２０１に、システムバス２０２を介してＲＡＭ２０３、入力装置２０４、出力装置２０５、通信制御装置２０６および不揮発性記憶媒体（ＲＯＭやＨＤＤなど）で構成される記憶装置２０７が接続された構成を有する。記憶装置２０７は、検査アプリケーションの各機能を奏するためのソフトウェアプログラムを格納するプログラム格納領域と、検査票データなどを格納するデータ格納領域とを備えている。以下に説明するプログラム格納領域の各手段は、実際は独立したソフトウェアプログラム、そのルーチンやコンポーネントなどであり、ＣＰＵ２０１によって記憶装置２０７から呼び出されＲＡＭ２０３のワークエリアに展開されて順次実行されることで、各機能を奏するものである。
【００２２】
データ格納領域は、本発明に関連するものだけを列挙すると、アプリケーションデータ記憶部２２１、二次元コードデータ記憶部２２２、検査パターンデータ記憶部２２３、および検査票データ記憶部２２４を備える。何れも、記憶媒体２０７内に確保された一定の記憶領域である。
【００２３】
アプリケーションデータ記憶部２２１は、ガス工作物の検査用アプリケーションに関するデータを格納する。一実施形態では、二次元コード読取画面および検査票画面の表示用画面データ（例えばＨＴＭＬデータ）を格納する。ただし、二次元コード読取画面は、モバイル端末用の一般的な二次元コード読取アプリケーションを使用する場合は、必ずしも必要ないことを理解されたい。この場合、二次元コードの読み取りをトリガーとして、検査用アプリケーションが起動され、検査項目データが作成される。
【００２４】
二次元コードデータ記憶部２２２は、ガス工作物本体に貼付され、ガス工作物の設備データが埋め込まれた二次元コードデータを格納する。一実施形態では、ガス工作物のメーカーのユニークな識別子である「メーカーコード」、型式を示す「型式」、製造番号を示す「号数」、ガス容器の種類を示す「貯蔵容器容量」、およびＬＰガスの気化方式を示す「気化方式」を格納する。「貯蔵容器容量」は、５０ｋｇや５００ｋｇなどの容量を示す「50」や「500」であってもよいし、ガス容器がボンベかバルクかを識別できるように、一定のコードなどであってもよい。また「気化方式」は、自然気化方式の場合「0」、強制気化方式の場合「1」などとすることができる。
【００２５】
検査パターンデータ記憶部２２３は、ガス工作物の設備データに基づき選択される検査項目のパターンデータを格納する。一実施形態では、パターンデータを一意に識別するためのユニークな連番である「ＩＤ」、「貯蔵容器容量」、「気化方式」、残量検査の要否を識別する「残量」、バルク・貯槽検査の要否を識別する「バルク・貯槽」、容器・集合装置検査の要否を識別する「容器・集合装置」、調整装置・圧力計器類検査の要否を識別する「調整装置・圧力計器類」、気化装置検査の要否を識別する「気化装置」、および外観その他検査の要否を識別する「外観その他」を格納する。各検査の要否に係るデータ項目は、例えば、検査が必要な場合は「1」、不要な場合は「0」を格納する。
【００２６】
検査票データ記憶部２２４は、作成された検査票データ、および保安員により入力された検査結果データを格納する。一実施形態では、「メーカーコード」、「型式」、「号数」、検査を実施した保安員を識別する「保安員コード」、各検査項目、および各検査項目に対する検査結果データを格納する。
【００２７】
プログラム格納領域に格納されているソフトウェアプログラムは、本発明に関連するものだけを列挙すると、二次元コード読取画面表示手段２１１、二次元コード読取手段２１２、検査票データ作成手段２１３、検査票画面表示手段２１４、入力データチェック手段２１５、およびデータ通信手段２１６を備えている。
【００２８】
二次元コード読取画面表示手段２１１は、アプリケーションデータ記憶部２２１から、二次元コード読取画面データを取得し、モバイル端末１０５の出力装置２０５に二次元コード読取画面を表示する。
【００２９】
二次元コード読取画面を表示し、二次元コードの読取を受け付ける状態になったら、保安員が二次元コード読取手段２１２を用いて、ガス工作物本体に貼付された二次元コードを読み込む。読み込まれた二次元コードデータは、デジタルデータに変換され、二次元コードデータ記憶部２２２に格納される。
【００３０】
検査票データ作成手段２１３は、読み込まれた二次元コードデータから、貯蔵容器容量と気化方式のデータを抽出し、これらのデータを検索キーとして、検査パターンデータ記憶部２２３から、検査パターンデータを取得する。また、検査パターンデータに基づいて選択された検査項目のみを含む、検査票データを作成し、検査票データ記憶部２２４に格納する。
【００３１】
検査票画面表示手段２１４は、アプリケーションデータ記憶部２２１から検査票画面データを取得し、作成された検査票データに基づいてモバイル端末１０５の出力装置２０５に検査票画面を表示する。
【００３２】
入力データチェック手段２１５は、保安員が検査を実施し、検査票画面に入力した検査結果データの入力データチェックを行う。入力データチェックがエラーの場合はその旨を出力装置２０５にポップアップメッセージなどで表示し、保安員に対し、是正するよう促す。入力データチェックが正常であった場合は、検査結果データを検査票データ記憶部２２４に格納する。
【００３３】
データ通信手段２１６は、検査結果データを保安管理サーバ１０１に送信する。特に災害時の場合は、例えば、データ通信が出来ない場合も想定されるため、データ通信が可能なエリアに移動した際に、改めて送信する。
【００３４】
次に、図５のフローチャート、および図３および４の表を参照して、一実施形態に係る検査票データ作成処理を詳細に説明する。
【００３５】
図５は、本発明の一実施形態に係る検査票データ作成処理を示す流れ図である。まず、ステップ５０１にて、モバイル端末１０５上の検査用アプリケーションを起動し、モバイル端末１０５の画面に二次元コード読取画面を表示する。これは二次元コードが読み取れる状態であればよく、別のアプリケーションによって代替できることを理解されたい。次に、保安員により、モバイル端末１０５を用いて、ガス工作物に貼付された二次元コードが読み取られる（ステップ５０２）。
【００３６】
ここで、ステップ５０２にて読み込まれる二次元コードデータの一実施形態を図３に示す。図３における各データ項目が、カンマなどデリミタで区切られ、二次元コードに埋め込まれている。なお、図３の二次元コードデータの「貯蔵容器容量」の内容は、本実施形態では、５０Ｋｇ容器のガスボンベが「1」、５００ｋｇ容器のガスボンベが「2」、ガスバルクが「10」である。また、「気化方式」の内容は、自然気化方式が「0」、強制気化方式が「1」である。そのため、図３は、強制気化方式のガスバルクに貼付された二次元コードデータであることを示している。
【００３７】
図５に戻り、検査用アプリケーションが、ステップ５０２にて読み込まれた二次元コードデータから、設備情報の１つである「貯蔵容器容量」と「気化方式」を抽出し（ステップ５０３）、それらを検索キーとして、検査パターンデータを検索し、該当レコードを取得する（ステップ５０４）。
【００３８】
ここで、ステップ５０４にて検索される検査パターンデータの一実施形態を図４に示す。図４の検査パターンデータは、「貯蔵容器容量」と「気化方式」の組み合わせで、「残量」以下の各検査の要否データが格納されている。検査パターンデータの内容について説明する。自然気化方式の５０Ｋｇ容器ガスボンベの場合（貯蔵容器容量が「01」、かつ気化方式が「0」であるデータ、すなわちＩＤが「1」の場合）を例とすると、各検査の要否データにおいて「1」（検査が必要）である検査は、残量検査、容器・集合装置検査、調整装置・圧力計器類検査、および外観その他検査の４つの検査である。そのため、この場合、当該４つの検査が実施すべき検査であり、検査票に検査項目が必要な検査である。
【００３９】
そのため、検査用アプリケーションが、ステップ５０４にて取得したパターンデータに基づいて、検査項目を選択し、当該選択された検査項目のデータで構成される検査票データを作成する（ステップ５０５）。
【００４０】
次に、検査用アプリケーションが、作成した検査票データを、モバイル端末１０５の画面に検査票画面として表示する（ステップ５０６）。この際、表示される検査票には、各検査項目に加え、検査結果の入力欄や選択肢など、保安員が検査結果を入力することができるユーザインターフェースを含む。
【００４１】
次に、図６のフローチャートを参照して、一実施形態に係る検査票データ送信処理を詳細に説明する。
【００４２】
図６は、本発明の一実施形態に係る検査票データ送信処理を示す流れ図である。まず、ステップ６０１にて、保安員がモバイル端末１０５上に表示された検査票画面を介して入力した検査結果データを、検査用アプリケーションが受信する。続いて、検査用アプリケーションは、検査結果データの入力データチェックを行う（ステップ６０２）。ここで、入力データチェックとは、例えば、必須入力チェックや、データ間の矛盾（整合性）チェック、データの有効型チェックなどである。
【００４３】
ステップ６０２の入力データチェックにて何かしらのエラーを検出した場合、Ｙｅｓルートに進み、検査用アプリケーションは、その旨をエラーメッセージとしてモバイル端末１０５の画面に表示し、保安員に対し是正を促す（ステップ６０５）。この場合、ステップ６０１に戻り、入力データチェックにてエラーが検出されなくなるまで、ステップ６０１−６０３、および６０５を繰り返す。
【００４４】
ステップ６０２の入力データチェックにてエラーを検出しない場合は、Ｎｏルートに進み、検査用アプリケーションは、検査結果データを保安管理サーバ１０１に送信する（ステップ６０４）。この際、災害などの影響でデータ通信が出来ない場合も想定される。この場合は、検査用アプリケーションが、一定時間毎にリトライ処理を行う、またはデータ通信が可能なエリアに移動した際に改めて送信する。
【００４５】
保安管理サーバ１０１に送信された検査結果データは、保安管理サーバ１０１の記憶領域に格納され、クライアントコンピュータ１０３やモバイル端末１０５から閲覧することができる。また、保安管理サーバ１０１に集約された各ガス工作物の検査結果データを、保安管理サーバ１０１が集計し、例えば、地区毎のガス工作物の検査状況などサマリーデータを作成することもできる。
【図１】
2014021630.tif 000003
【図２】
2014021630.tif 000004
【図３】
2014021630.tif 000005
【図４】
2014021630.tif 000006
【図５】
2014021630.tif 000007
【図６】
2014021630.tif 000008